(57)【要約】【課題】本発明は、簡単な構成により低コストで、容易に組み立てられ得ると共に、大電流駆動であっても確実に放熱を行なうことができるようにしたＬＥＤを提供することを目的とする。【解決手段】柱状の導電材料から成り、第一の部分１１ａが他方の第二の部分１１ｂより少なくとも一側の端面にて大面積となるように軸方向に切断され、第一の部分及び第二の部分の切断面の間に絶縁層１３を備えた端子部１１と、上記端子部の第一の部分の一側の端面部分に実装され、その表面がワイヤボンディングにより第二の部分の一側の端面部分と電気的に接続されているＬＥＤチップ１２と、を含むように、ＬＥＤ１０を構成する。【選択図】        図１
2004200541.tif 000002
【特許請求の範囲】
【請求項１】
柱状の導電材料から成り、第一の部分が他方の第二の部分より少なくとも一側の端面にて大面積となるように軸方向に切断され、第一の部分及び第二の部分の切断面の間に絶縁層を備えた端子部と、
上記端子部の第一の部分の一側の端面部分に実装され、その表面がワイヤボンディングにより第二の部分の一側の端面部分と電気的に接続されているＬＥＤチップと、
を含んでいることを特徴とする、ＬＥＤ。
【請求項２】
上記端子部が全体として円柱状に形成されていることを特徴とする、請求項１に記載のＬＥＤ。
【請求項３】
上記端子部が全体として四角柱状に形成されていることを特徴とする、請求項１に記載のＬＥＤ。
【請求項４】
上記端子部が、高熱伝導材料から構成されていることを特徴とする、請求項１から３の何れかに記載のＬＥＤ。
【請求項５】
上記端子部の第一の部分または第二の部分が、その側面の切断面に沿った端縁に沿って、位置決め用の突条部を備えていることを特徴とする、請求項１から４の何れかに記載のＬＥＤ。
【請求項６】
上記第一の部分及び／または第二の部分の切断面の中間領域に凹部が設けられており、この凹部内に絶縁層が進入していることを特徴とする、請求項１から５の何れかに記載のＬＥＤ。
【請求項７】
上記絶縁層が、端子部の一側の端面全体を覆い、さらに一側の端面の周囲に回り込むように延びていることを特徴とする、請求項１から６の何れかに記載のＬＥＤ。
【請求項８】
上記第一の部分が、その他側の端面に凹部を備えていることを特徴とする、請求項１から７の何れかに記載のＬＥＤ。
【請求項９】
上記端子部の一側の端面部分に対して、着脱可能に指向性に対応したレンズが取り付けられていることを特徴とする、請求項１から８の何れかに記載のＬＥＤ。
【請求項１０】
上記端子部の一側の端面部分の周縁領域にて、端子部または絶縁層にレンズ位置決め用の係合部が形成されていて、
上記レンズが、この係合部に係合する係合部を備えていることを特徴とする、請求項９に記載のＬＥＤ。
【請求項１１】
上記端子部が、軸方向に短く、扁平に形成されていることを特徴とする、請求項１から１０の何れかに記載のＬＥＤ。
【発明の詳細な説明】
【０００１】
【発明の属する技術分野】
本発明は、ＬＥＤに関し、特に自動車の車載用あるいは大電流駆動に適したＬＥＤに関するものである。
【０００２】
【従来の技術】
従来、このようなＬＥＤは、例えば特開２００２−２２３００７号（特許文献１）や特開２００２−２８９９２４号（特許文献２）に開示されている。
【０００３】
前者のＬＥＤは、比較的大径の放熱ブロックから成る第一の電極の周囲に絶縁膜を挟んで熱伝導可能に第二の電極を設けると共に、第一の電極の上面に発光チップを載置し、発光チップから第二の電極の上面に対してワイヤボンディングにより電気的に接続することにより、構成されている。
このような構成のＬＥＤによれば、発光チップに対して、第一の電極及び第二の電極間の駆動電圧がボンディングワイヤを介して印加され、発光チップが駆動され発光する。そして、駆動の際に発光チップで発生する熱は、放熱ブロックとして機能する第一の電極そして絶縁膜を介して第二の電極に伝導して、放熱される。従って、発光チップが大電流駆動されたとしても、発光チップは十分に放熱されることになる。
【０００４】
また、後者のＬＥＤは、絶縁材料を挟んで互いに貼合せにより一体化された二つの電極の上端に跨るようにして絶縁材料を介して発光チップを載置し、発光部から各電極の上面に対してワイヤボンディングにより電気的に接続することにより、構成されている。
このような構成のＬＥＤによれば、各電極間の駆動電圧がボンディングワイヤを介して発光チップに対して印加され、発光チップが駆動され発光する。
【０００５】
【特許文献１】
特開２００２−２２３００７号（第２−３頁，第１図）
【特許文献２】
特開２００２−２８９９２４号（第２−４頁，第１図）
【０００６】
【発明が解決しようとする課題】
ところで、上述したＬＥＤにおいては、以下のような問題がある。
即ち、前者のＬＥＤにおいては、第一の電極に対して第二の電極をその周囲に被嵌するように構成されていることから、比較的大型になってしまい、また第一の電極及び第二の電極の寸法精度をある程度高くする必要があると共に、組立作業が複雑となり、部品コスト及び組み立てコストが高くなってしまう。
【０００７】
また、後者のＬＥＤにおいては、小型化を主目的としており、電極による発光チップの放熱を考慮していないので、大電流駆動の場合には、発光チップの発熱を十分に放熱することができなくなってしまう。さらに、発光チップが二つの電極の上端に絶縁層を跨るように載置されることから、二つの電極の上端面を絶縁材料と共に高精度で同一平面となるように、仕上げる必要があると共に、発光チップから双方の電極への放熱効果が絶縁層の存在によって損なわれてしまう。
【０００８】
本発明は、以上の点から、簡単な構成により低コストで、容易に組み立てられ得ると共に、大電流駆動であっても確実に放熱を行なうことができるようにしたＬＥＤを提供することを目的としている。
【０００９】
【課題を解決するための手段】
上記目的は、本発明によれば、柱状の導電材料から成り、第一の部分が他方の第二の部分より少なくとも一側の端面にて大面積となるように軸方向に切断され、第一の部分及び第二の部分の切断面の間に絶縁層を備えた端子部と、上記端子部の第一の部分の一側の端面部分に実装され、その表面がワイヤボンディングにより第二の部分の一側の端面部分と電気的に接続されているＬＥＤチップと、を含んでいることを特徴とする、ＬＥＤにより、達成される。
【００１０】
本発明によるＬＥＤは、好ましくは、上記端子部が全体として円柱状または四角柱状に形成されている。
【００１１】
本発明によるＬＥＤは、好ましくは、上記端子部が、高熱伝導材料から構成されている。
【００１２】
本発明によるＬＥＤは、好ましくは、上記端子部の第一の部分または第二の部分が、その側面の切断面に沿った端縁に沿って、位置決め用の突条部を備えている。
【００１３】
本発明によるＬＥＤは、好ましくは、上記第一の部分及び／または第二の部分の切断面の中間領域に凹部が設けられており、この凹部内に絶縁層が進入している。
【００１４】
本発明によるＬＥＤは、好ましくは、上記絶縁層が、端子部の一側の端面全体を覆い、さらに一側の端面の周囲に回り込むように延びている。
【００１５】
本発明によるＬＥＤは、好ましくは、上記第一の部分が、その他側の端面に凹部を備えている。
【００１６】
本発明によるＬＥＤは、好ましくは、上記端子部の一側の端面部分に対して、着脱可能に指向性に対応したレンズが取り付けられている。
【００１７】
本発明によるＬＥＤは、好ましくは、上記端子部の一側の端面部分の周縁領域にて、端子部または絶縁層にレンズ位置決め用の係合部が形成されていて、上記レンズが、この係合部に係合する係合部を備えている。
【００１８】
本発明によるＬＥＤは、好ましくは、上記端子部が、軸方向に短く、扁平に形成されている。
【００１９】
上記構成によれば、柱状、好ましくは円柱状または四角柱状の端子部の第一の部分の一側の端面に載置された発光チップに対して、端子部の第一の部分及び第二の部分に印加された駆動電圧が、一方で第一の部分から直接に、また他方で第二の部分からボンディングワイヤを介してＬＥＤチップに対して供給されることにより、ＬＥＤチップが駆動され発光する。
その際、駆動によりＬＥＤチップに発生する熱は、第一の部分そして絶縁層を介して第二の部分に対して放熱されるので、ＬＥＤチップが大電流駆動されたとしても、ＬＥＤチップに発生する熱が十分に放熱されることになり、大電流駆動が可能になる。
また、ＬＥＤチップは、大面積である第一の部分の一側の端面部分に実装されるので、容易に且つ確実に実装され得ると共に、第一の部分及び第二の部分の間の絶縁層を跨がないので、ＬＥＤチップから端子部への放熱効果が損なわれるようなことはない。
【００２０】
上記端子部が、高熱伝導材料から構成されている場合には、ＬＥＤチップから端子部の第一の部分そして第二の部分への放熱がより一層効果的に行なわれ得る。
【００２１】
上記端子部の第一の部分または第二の部分が、その側面の切断面に沿った端縁に沿って、位置決め用の突条部を備えている場合には、本ＬＥＤを各種機器のシャーシやパネル等に取り付ける際に、この突条部を目安に正しく実装することができる。
【００２２】
上記第一の部分及び／または第二の部分の切断面の中間領域に凹部が設けられており、この凹部内に絶縁層が進入している場合には、端子部の第一の部分と第二の部分の間に位置する絶縁層が、これら第一の部分及び第二の部分の間から脱落してしまうことがない。
【００２３】
上記絶縁層が、端子部の一側の端面全体を覆い、さらに一側の端面の周囲に回り込むように延びている場合には、絶縁層が端子部の一側の端面の周囲を拘束することになり、端子部の第一の部分と第二の部分の分離を阻止すると共に、ＬＥＤチップのボンディングワイヤの切断を防止することができる。
【００２４】
上記第一の部分が、その他側の端面に凹部を備えている場合には、表面積が増加し、放熱性が向上する。
【００２５】
上記端子部の一側の端面部分に対して、着脱可能に指向性に対応したレンズが取り付けられている場合には、ＬＥＤに要求される指向性に対応した複数種類の光学特性を有するレンズを用意しておくことにより、適宜のレンズを端子部の一側の端面に装着することにより、所望の指向性を実現することができると共に、端子部及びＬＥＤチップから成るＬＥＤ本体部分の量産効果により、製造コストを低減することができ、また流通在庫の低減により、流通コストを低減することができる。
【００２６】
上記端子部の一側の端面部分の周縁領域にて、端子部または絶縁層にレンズ位置決め用の係合部が形成されていて、上記レンズが、この係合部に係合する係合部を備えている場合には、端子部にレンズを装着する際に、双方の係合部を互いに係合させることにより、レンズを端子部に対して正確に位置決めすることができる。
【００２７】
上記端子部が、軸方向に短く、扁平に形成されている場合には、ＬＥＤ全体が扁平に構成されることになり、実装高さが大幅に低減されることになる。
【００２８】
このようにして、本発明によれば、端子部全体を軸方向に切断して、その切断面の間に絶縁層を備えることによって、全体を比較的小型に構成し、また互いに電気的に絶縁された第一の部分及び第二の部分を二つの電極として使用し、第一の部分の大面積の一側の端面上にＬＥＤチップを載置することにより、ＬＥＤチップを容易に実装し得ると共に、ＬＥＤチップの放熱効果を最大にすることができる。
【００２９】
【発明の実施の形態】
以下、この発明の好適な実施形態を図１乃至図１１を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３０】
図１及び図２は、本発明によるＬＥＤの第一の実施形態の構成を示している。
図１及び図２において、ＬＥＤ１０は、ほぼ円筒状に形成された端子部１１と、端子部１１の上面に配置されたＬＥＤチップ１２と、を含んでいる。
【００３１】
上記端子部１１は、全体が例えばＣｕ，Ａｌ等の熱伝導性の高い導電材料から構成されていると共に、中心からずれた位置にて軸方向に切断されることにより、第一の部分１１ａと第二の部分１１ｂとに分割されており、第一の部分１１ａ及び第二の部分１１ｂがそれぞれ第一の電極及び第二の電極として使用されるようになっている。
そして、この第一の部分１１ａと第二の部分１１ｂの切断面の間には、絶縁層１３が設けられている。絶縁層１３は、熱伝導性を有する絶縁材料から構成されており、これにより、上記第一の部分１１ａ及び第二の部分１１ｂが、互いに電気的に絶縁されると共に、熱的に接続されるようになっている。
【００３２】
上記第一の部分１１ａは、その上端面にて、第二の部分１１ｂより大きな面積を備えるように構成されており、その上端面の中心付近に、ＬＥＤチップ１２がダイボンディング等により実装され、第一の部分１１ａと電気的に接続されている。
尚、第一の部分１１ａは、少なくともその上端面が比較的大面積を有していればよいので、第一の部分１１ａと第二の部分１１ｂを切断する切断面は、軸方向に対して斜めに延びるようにしてもよく、また平面である必要もない。
さらに、図示の場合、第一の部分１１ａの上端面の中心付近は、ＬＥＤチップ１２から周囲に出射する光を光軸方向（図示の場合上方）に向かって反射させるために、環状の反射面１１ｃを備えている。
【００３３】
また、上記第二の部分１１ｂは、その上面が、ボンディングワイヤ１４により上記ＬＥＤチップ１２の上面と電気的に接続されている。
さらに、上記端子部１１の第一の部分１１ａ及び第二の部分１１ｂは、それぞれ図示しない給電ラインと接続されることにより、外部からＬＥＤチップ１２のための駆動電圧が印加されるようになっている。
【００３４】
本発明実施形態によるＬＥＤ１０は、以上のように構成されており、外部から端子部１１の第一の部分（第一の電極）１１ａ及び第二の部分（第二の電極）１１ｂの間に駆動電圧が印加されると、駆動電流が第一の部分１１ａから、ＬＥＤチップ１２，ボンディングワイヤ１４を介して第二の部分１１ｂへ（または逆に）流れることになり、ＬＥＤチップ１２が駆動されて、光を出射する。
このとき、駆動によってＬＥＤチップ１２に発生する熱は、ＬＥＤチップ１２全体が第一の部分１１ａの上面に接触していることから、端子部１１の第一の部分１１ａに効率よく伝導され、そして絶縁層１３を介して第二の部分１１ｂに伝導され、さらに端子部１１全体に伝導することにより、効果的に放熱されることになる。
従って、ＬＥＤチップ１２が大電流駆動されたとしても、ＬＥＤチップ１２に発生する大量の熱が、端子部１１全体に伝導することにより、十分に放熱され得るので、ＬＥＤチップ１２の大電流駆動が可能になる。
【００３５】
図３は、本発明によるＬＥＤの第二の実施形態を示している。
図３において、ＬＥＤ２０は、図１及び図２に示したＬＥＤ１０とほぼ同様の構成であって、端子部１１の第二の部分１１ｂの外周面にて、切断面に沿って位置決め用の突条部２１を備えている点でのみ異なる構成になっている。
この突条部２１は、図示の場合、端子部１１の第二の部分１１ｂの下方領域のみに設けられているが、軸方向の全長に亘って設けられていてもよい。
また、突条部２１は、端子部１１の第一の部分１１ａの切断面に沿って設けられていてもよい。
尚、図３においては、端子部１１の第一の部分１１ａと第二の部分１１ｂを分離する切断面は、図１の場合と比較して、第二の部分１１ｂをより小さくするように配置されており、第二の部分１１ｂの外周面に関して、周囲方向全体に突条部２１が設けられている。
【００３６】
このような構成のＬＥＤ２０によれば、図１及び図２に示したＬＥＤ１０と同様に作用すると共に、本ＬＥＤ２０を各種機器のシャーシ，パネル等に取り付ける際に、この突条部２１を目安にして、端子部１１の第二の部分（第二の電極）１１ｂの位置を確認することができるので、本ＬＥＤ２０を正しく実装することができる。
【００３７】
図４及び図５は、本発明によるＬＥＤの第三の実施形態を示している。
図４及び図５において、ＬＥＤ３０は、図１及び図２に示したＬＥＤとほぼ同様の構成であって、端子部１１の上端付近に絶縁部３１を備えている点で異なる構成になっている。
この絶縁部３１は、端子部１１の（ＬＥＤチップ１２及びボンディングワイヤ１４の接続部を除いて）上端面全体を覆うと共に、端子部１１の外周面に回り込むように形成されている。
さらに、絶縁部３１は、端子部１１の第一の部分１１ａ及び第二の部分１１ｂの間の絶縁層１３と一体に構成されている。
尚、この場合、端子部１１の第二の部分１１ｂの切断面の中間領域に凹部１１ｄが形成されており、これに対応して、絶縁層１３がこの凹部１１ｄ内に進入している。
【００３８】
このような構成のＬＥＤ３０によれば、図１及び図２に示したＬＥＤ１０と同様に作用すると共に、絶縁部３１が、端子部１１の上端付近を周囲を拘束することにより、端子部１１の第一の部分１１ａと第二の部分１１ｂの分離を阻止すると共に、ＬＥＤチップ１２のボンディングワイヤ１４の切断を防止することができる。
さらに、絶縁層１３の一部が、端子部１１の第二の部分１１ｂの切断面に形成された凹部１１ｄ内に進入していることにより、端子部１１の第一の部分１１ａ及び第二の部分１１ｂの間から絶縁層１３が脱落することを阻止することができる。
【００３９】
図６は、本発明によるＬＥＤの第四の実施形態を示している。
図６において、ＬＥＤ４０は、図１及び図２に示したＬＥＤ１０とほぼ同様の構成であって、端子部１１の下面、特に第一の部分１１ａの下面に凹部４１を備えている点でのみ異なる構成になっている。
このような構成のＬＥＤ４０によれば、図１及び図２に示したＬＥＤ１０と同様に作用すると共に、端子部１１の下面に凹部４１が備えられていることにより、表面積が増加し、放熱性が向上する。
【００４０】
図７及び図８は、本発明によるＬＥＤの第四の実施形態を示している。
図７及び図８において、ＬＥＤ５０は、図４及び図５に示したＬＥＤ３０とほぼ同様の構成であって、絶縁部３１の上方に出射光に指向性を付与するためのレンズ５１を備えている点でのみ異なる構成になっている。
上記レンズ５１は、透光性材料から構成されており、図示の場合、上面及び下面が共に上方に向かって凸状に、そして全体として凸レンズとして形成されている。
【００４１】
また、上記レンズ５１は、絶縁部１の上方にて端子部１１に対して着脱可能に取り付けられている。その際、レンズ５１の下面周縁部に備えられた係合部としての凸部５１ａが、端子部１１の周縁に備えられた係合部としての係合穴１１ｅ内に係合することにより、端子部１１に対して正しく位置決めされるようになっている。
そして、上記レンズ５１は、本ＬＥＤ５０に要求される各種指向性に対応した複数種類の光学特性を有するレンズを用意しておくことにより、適宜のレンズ５１を端子部１１に対して取り付けることにより、所望の指向性を有することができるようになっている。
尚、レンズ５１の下面と絶縁部３１の上面との間の内部空間には、図示の場合シリコンジェル５２が封入されている。
【００４２】
このような構成のＬＥＤ５０によれば、図６に示したＬＥＤ３０と同様に作用すると共に、所定の光学特性を有するレンズ５１を取り付けることにより、当該レンズ５１の光学特性に基づいて、ＬＥＤチップ１２から出射する光に所望の指向性を付与することができる。
【００４３】
図９は、本発明によるＬＥＤの第六の実施形態を示している。
図９において、ＬＥＤ６０は、図１及び図２に示したＬＥＤ１０と同様の構成であって、ほぼ円柱状の端子部１１の代わりに、四角柱状の端子部６１を備えている点でのみ異なる構成になっている。
【００４４】
ここで、端子部６１は、端子部１１と同様にして、中心からずれた位置にて軸方向に切断されることにより、第一の部分６１ａと第二の部分６１ｂとに分割されており、第一の部分６１ａ及び第二の部分６１ｂがそれぞれ第一の電極及び第二の電極として使用されるようになっている。
そして、この第一の部分６１ａと第二の部分６１ｂの切断面の間には、絶縁層６２が設けられている。絶縁層６２は、熱伝導性を有する絶縁材料から構成されており、これにより、上記第一の部分６１ａ及び第二の部分６１ｂが、互いに電気的に絶縁されると共に、熱的に接続されるようになっている。
【００４５】
このような構成のＬＥＤ６０によれば、図１及び図２に示したＬＥＤ１０と同様に作用して、外部から端子部６１の第一の部分６１ａ及び第二の部分６１ｂの間に駆動電圧が印加されると、ＬＥＤチップ１２が駆動され、光を出射する。
このとき、駆動によってＬＥＤチップ１２に発生する熱は、端子部６１の第一の部分６１ａそして絶縁層６２を介して第二の部分６１ｂに伝導され、端子部６１全体に伝導することにより、効果的に放熱されることになる。
【００４６】
図１０は、本発明によるＬＥＤの第七の実施形態を示している。
図１０において、ＬＥＤ７０は、図４及び図５に示したＬＥＤ３０と同様の構成であって、ほぼ円柱状の端子部１１の代わりに、四角柱状の端子部７１を備えている点でのみ異なる構成になっている。
【００４７】
ここで、端子部７１は、端子部１１と同様にして、中心からずれた位置にて軸方向に切断されることにより、第一の部分７１ａと第二の部分７１ｂとに分割されており、第一の部分７１ａ及び第二の部分７１ｂがそれぞれ第一の電極及び第二の電極として使用されるようになっている。
そして、この第一の部分７１ａと第二の部分７１ｂの切断面の間には、絶縁層７２が設けられている。絶縁層７２は、熱伝導性を有する絶縁材料から構成されており、これにより、上記第一の部分７１ａ及び第二の部分７１ｂが、互いに電気的に絶縁されると共に、熱的に接続されるようになっている。
【００４８】
このような構成のＬＥＤ７０によれば、図４及び図５に示したＬＥＤ３０と同様に作用して、外部から端子部７１の第一の部分７１ａ及び第二の部分７１ｂの間に駆動電圧が印加されると、ＬＥＤチップ１２が駆動され、光を出射する。
このとき、駆動によってＬＥＤチップ１２に発生する熱は、端子部７１の第一の部分７１ａそして絶縁層７２を介して第二の部分７１ｂに伝導され、端子部７１全体に伝導することにより、効果的に放熱されることになる。
【００４９】
図１１は、本発明によるＬＥＤの第八の実施形態を示している。
図１１において、ＬＥＤ８０は、図１及び図２に示したＬＥＤ１０と同様の構成であって、ほぼ円柱状の端子部１１の代わりに、軸方向に極めて短く扁平な円柱状の端子部８１を備えている点でのみ異なる構成になっている。
【００５０】
ここで、端子部８１は、端子部１１と同様にして、中心からずれた位置にて軸方向に切断されることにより、第一の部分８１ａと第二の部分８１ｂとに分割されており、第一の部分８１ａ及び第二の部分８１ｂがそれぞれ第一の電極及び第二の電極として使用されるようになっている。
そして、この第一の部分８１ａと第二の部分８１ｂの切断面の間には、絶縁層８２が設けられている。絶縁層８２は、熱伝導性を有する絶縁材料から構成されており、これにより、上記第一の部分８１ａ及び第二の部分８１ｂが、互いに電気的に絶縁されると共に、熱的に接続されるようになっている。
【００５１】
このような構成のＬＥＤ８０によれば、図１及び図２に示したＬＥＤ１０と同様に作用して、外部から端子部８１の第一の部分８１ａ及び第二の部分８１ｂの間に駆動電圧が印加されると、ＬＥＤチップ１２が駆動され、光を出射する。
このとき、駆動によってＬＥＤチップ１２に発生する熱は、端子部８１の第一の部分８１ａそして絶縁層８２を介して第二の部分８１ｂに伝導され、端子部８１全体に伝導することにより、効果的に放熱されることになる。
【００５２】
上述した実施形態においては、端子部１１，６２，７２，８２の第一の部分及び第二の部分を分離する切断面は、軸方向に沿って延びているが、これに限らず、軸方向に関して斜めに延びていてもよい。
【００５３】
【発明の効果】
以上述べたように、本発明によれば、柱状、好ましくは円柱状または四角柱状の端子部の第一の部分の一側の端面に載置された発光チップに対して、端子部の第一の部分及び第二の部分に印加された駆動電圧が、一方で第一の部分から直接に、また他方で第二の部分からボンディングワイヤを介してＬＥＤチップに対して供給されることにより、ＬＥＤチップが駆動され発光する。
その際、駆動によりＬＥＤチップに発生する熱は、第一の部分そして絶縁層を介して第二の部分に対して放熱されるので、ＬＥＤチップが大電流駆動されたとしても、ＬＥＤチップに発生する熱が十分に放熱されることになり、大電流駆動が可能になる。
また、ＬＥＤチップは、大面積である第一の部分の一側の端面部分に実装されるので、容易に且つ確実に実装され得ると共に、第一の部分及び第二の部分の間の絶縁層を跨がないので、ＬＥＤチップから端子部への放熱効果が損なわれるようなことはない。
このようにして、本発明によれば、簡単な構成により低コストで、容易に組み立てられ得ると共に、大電流駆動であっても確実に放熱を行なうことができるようにした、極めて優れたＬＥＤが提供され得る。
【図面の簡単な説明】
【図１】本発明によるＬＥＤの第一の実施形態の構成を示す概略斜視図である。
【図２】図１のＬＥＤの概略縦断面図である。
【図３】本発明によるＬＥＤの第二の実施形態の構成を示す概略斜視図である。
【図４】本発明によるＬＥＤの第三の実施形態の構成を示す概略斜視図である。
【図５】図５のＬＥＤの概略縦断面図である。
【図６】本発明によるＬＥＤの第四の実施形態の構成を示す概略縦断面図である。
【図７】本発明によるＬＥＤの第五の実施形態の構成を示す概略縦断面図である。
【図８】図７のＬＥＤの概略横断面図である。
【図９】本発明によるＬＥＤの第六の実施形態の構成を示す概略斜視図である。
【図１０】本発明によるＬＥＤの第七の実施形態の構成を示す概略斜視図である。
【図１１】本発明によるＬＥＤの第八の実施形態の構成を示す概略斜視図である。
【符号の説明】
１０，２０，３０，４０，５０，６０，７０，８０    ＬＥＤ
１１，６１，７１，８１    端子部
１１ａ，６１ａ，７１ａ，８１ａ  第一の部分（第一の電極）
１１ｂ，６１ｂ，７１ｂ，８１ｂ  第二の部分（第二の電極）
１２    ＬＥＤチップ
１３，６２，７２，８２    絶縁層
１４    ボンディングワイヤ
２１    突条部
３１    絶縁部
４１    凹部
５１    レンズ
５２    シリコンジェル
【図１】
2004200541.tif 000003
【図２】
2004200541.tif 000004
【図３】
2004200541.tif 000005
【図４】
2004200541.tif 000006
【図５】
2004200541.tif 000007
【図６】
2004200541.tif 000008
【図７】
2004200541.tif 000009
【図８】
2004200541.tif 000010
【図９】
2004200541.tif 000011
【図１０】
2004200541.tif 000012
【図１１】
2004200541.tif 000013
【手続補正書】
【提出日】平成14年12月24日(2002.12.24)
【手続補正１】
【補正対象書類名】図面
【補正対象項目名】図１
【補正方法】変更
【補正の内容】
【図１】
2004200541.tif 000014
【手続補正２】
【補正対象書類名】図面
【補正対象項目名】図２
【補正方法】変更
【補正の内容】
【図２】
2004200541.tif 000015
【手続補正３】
【補正対象書類名】図面
【補正対象項目名】図３
【補正方法】変更
【補正の内容】
【図３】
2004200541.tif 000016
【手続補正４】
【補正対象書類名】図面
【補正対象項目名】図４
【補正方法】変更
【補正の内容】
【図４】
2004200541.tif 000017
【手続補正５】
【補正対象書類名】図面
【補正対象項目名】図５
【補正方法】変更
【補正の内容】
【図５】
2004200541.tif 000018
【手続補正６】
【補正対象書類名】図面
【補正対象項目名】図６
【補正方法】変更
【補正の内容】
【図６】
2004200541.tif 000019
【手続補正７】
【補正対象書類名】図面
【補正対象項目名】図７
【補正方法】変更
【補正の内容】
【図７】
2004200541.tif 000020
【手続補正８】
【補正対象書類名】図面
【補正対象項目名】図８
【補正方法】変更
【補正の内容】
【図８】
2004200541.tif 000021
【手続補正９】
【補正対象書類名】図面
【補正対象項目名】図９
【補正方法】変更
【補正の内容】
【図９】
2004200541.tif 000022
【手続補正１０】
【補正対象書類名】図面
【補正対象項目名】図１０
【補正方法】変更
【補正の内容】
【図１０】
2004200541.tif 000023
【手続補正１１】
【補正対象書類名】図面
【補正対象項目名】図１１
【補正方法】変更
【補正の内容】
【図１１】
2004200541.tif 000024